(57)【特許請求の範囲】
【請求項１】
基体（１）と、前記基体（１）上に配置されたプレート状の回転体（２）とを備え、
前記基体（１）は、前記回転体（２）に対向するように配置された多孔質プレート（１１）と、磁極が前記回転体（２）の回転中心軸線（ａ）方向を向くように配置された基体側磁石（１２）とを有し、
前記回転体（２）は、前記基体側磁石（１２）と対向する位置に設けられた吸着部（２ａ）を有し、
前記多孔質プレート（１１）は、前記回転体（２）側以外の面から前記回転体（２）側の面に連通する気孔を有し、
前記基体側磁石（１２）及び前記吸着部（２ａ）は、前記回転体（２）の回転中心軸線（ａ）と一致する中心軸線を中心とする回転対称性を有し、
前記吸着部（２ａ）と前記回転体（２）の前記吸着部（２ａ）以外の領域とは、磁性材料で一体的に形成され、
前記吸着部（２ａ）には、前記回転体（２）の前記基体（１）側の面に前記回転体（２）の回転中心軸線（ａ）を中心として前記吸着部（２ａ）を囲むように吸着部形成溝（２ｂ）が形成され、
前記回転体（２）の前記基体（１）側の面には、前記回転体（２）の縁部に向かって延び、且つ、前記回転体（２）の回転中心軸線（ａ）から径方向に延びる線に対して少なくとも一部において傾斜している通気溝（２ｃ）が形成されていることを特徴とする回転体保持装置。
【請求項２】
基体（１）と、前記基体（１）上に配置されたプレート状の回転体（２）とを備え、
前記基体（１）は、前記回転体（２）に対向するように配置された多孔質プレート（１１）と、磁極が前記回転体（２）の回転中心軸線（ａ）方向を向くように配置された基体側磁石（１２）とを有し、
前記回転体（２）は、前記基体側磁石（１２）と対向する位置に設けられた吸着部（２ａ）を有し、
前記多孔質プレート（１１）は、前記回転体（２）側以外の面から前記回転体（２）側の面に連通する気孔を有し、
前記基体側磁石（１２）及び前記吸着部（２ａ）は、前記回転体（２）の回転中心軸線（ａ）と一致する中心軸線を中心とする回転対称性を有し、
前記回転体（２）の前記吸着部（２ａ）以外の領域は、非磁性材料で形成され、
前記吸着部（２ａ）は、前記回転体（２）の前記基体側に設けられた凹部（２ｄ）に配置された、前記基体側磁石（１２）と異極対向する磁石、又は、磁性体で形成され、
前記回転体（２）の前記基体（１）側の面には、前記回転体（２）の縁部に向かって延び、且つ、前記回転体（２）の回転中心軸線（ａ）から径方向に延びる線に対して少なくとも一部において傾斜している通気溝（２ｃ）が形成されていることを特徴とする回転体保持装置。
【請求項３】
請求項１又は請求項２に記載の回転体保持装置であって、
前記基体側磁石（１２）は、前記回転体（２）の回転中心軸線（ａ）を中心とする環状に形成されていることを特徴とする回転体保持装置。
【発明の詳細な説明】
【技術分野】
【０００１】
本発明は、回転体を所定の位置で回転可能に保持する回転体保持装置に関する。
【背景技術】
【０００２】
従来、浮上機構と拘束機構とを組み合わせることによって、保持対象とそれを保持する機構との間で摩擦力を作用させることなく、保持対象の移動や回転を行うことが可能な保持装置が知られている（例えば、特許文献１参照）。
【０００３】
特許文献１に記載の保持装置では、浮上機構として、エアベアリングを採用している。そして、そのエアベアリングから保持対象に向かって気体を放出することによって、その物体を浮上させている。
【０００４】
また、特許文献１に記載の保持装置では、拘束機構として、保持対象を磁性材料で形成したものや、エアベアリングと対向するように保持対象に磁性体を配置するとともに、エアベアリングの保持対象側とは反対側に磁石を配置したものを採用している。そして、磁石とエアベアリングと保持対象とを通る閉じた磁束線を形成することによって、保持対象が所定の高さ以上に浮上しないように、保持対象を拘束している。
【先行技術文献】
【特許文献】
【０００５】
【特許文献１】特開２００１−００２２４１号公報
【発明の概要】
【発明が解決しようとする課題】
【０００６】
ところで、特許文献１に記載の従来の保持装置では、保持状態においては、保持対象と保持装置とは、一体的に移動や回転を行うものとして構成されている。すなわち、従来の保持装置では、保持対象と保持装置との相対的な移動や回転は、外乱によって保持対象が移動してしまった際に、保持対象が所定の高さや相対位置に復帰する場合にのみ生じていた。
【０００７】
そのため、従来の保持装置では、保持対象のみを回転させようとすると、拘束機構の拘束力によって、保持対象の回転が阻害されてしまうという問題があった。また、回転を阻害しないように拘束力を弱めると、保持対象が回転した際に、保持装置に対する保持対象の相対位置が安定しなくなるという問題があった。
【０００８】
本発明は以上の点に鑑みてなされたものであり、保持対象である回転体を十分に拘束しつつ、保持装置である基体に対して回転体を滑らかに相対回転させることのできる回転体保持装置を提供することを目的とする。
【課題を解決するための手段】
【０００９】
上記目的を達成するために、本発明の回転体保持装置は、基体（１）と、前記基体（１）上に配置されたプレート状の回転体（２）とを備え、前記基体（１）は、前記回転体（２）に対向するように配置された多孔質プレート（１１）と、磁極が前記回転体（２）の回転中心軸線（ａ）方向を向くように配置された基体側磁石（１２）とを有し、前記回転体（２）は、前記基体側磁石（１２）と対向する位置に設けられた吸着部（２ａ）を有し、前記多孔質プレート（１１）は、前記回転体（２）側以外の面から前記回転体（２）側の面に連通する気孔を有し、前記基体側磁石（１２）及び前記吸着部（２ａ）は、前記回転体（２）の回転中心軸線（ａ）と一致する中心軸線を中心とする回転対称性を有し、前記吸着部（２ａ）と前記回転体（２）の前記吸着部（２ａ）以外の領域とは、磁性材料で一体的に形成され、前記吸着部（２ａ）には、前記回転体（２）の前記基体（１）側の面に前記回転体（２）の回転中心軸線（ａ）を中心として前記吸着部（２ａ）を囲むように吸着部形成溝（２ｂ）が形成され、前記回転体（２）の前記基体（１）側の面には、前記回転体（２）の縁部に向かって延び、且つ、前記回転体（２）の回転中心軸線（ａ）から径方向に延びる線に対して少なくとも一部において傾斜している通気溝（２ｃ）が形成されていることを特徴とする。 
【００１０】
上記のように構成されている本発明の回転体保持装置では、基体（１）の多孔質プレート（１１）の回転体（２）側以外の面に気体が供給されると、その気体は、多孔質プレート（１１）の気孔を通じて、多孔質プレート（１１）の回転体（２）側の面から（すなわち、回転体（２）に向かって）放出される。そして、回転体（２）は、その放出された気体によって押し上げられて、気体による押し上げる力と基体側磁石（１２）による吸着力とが均衡している位置まで浮上する。
【００１１】
その結果、回転体（２）の回転において、回転体（２）と多孔質プレート（１１）との間の摩擦力が作用しなくなる。また、回転体（２）の基体（１）に対する高さが変化した際（すなわち、回転体（２）がその中心軸線（ａ）方向に移動した際）には、回転体（２）に対し、所定の高さまで復帰させる方向の力が加わる。
【００１２】
また、本発明の回転体保持装置では、基体側磁石（１２）と対向する位置に設けられ、磁性材料又は基体側磁石（１２）と異極対向するように配置された磁石で形成された吸着部（２ａ）を有しており、その吸着部（２ａ）は、回転体（２）の吸着部（２ａ）以外の領域に対して磁気的に独立している。また、基体側磁石（１２）は、磁極が回転体（２）の回転中心軸線（ａ）方向を向くように配置されている。そのため、基体側磁石（１２）と吸着部（２ａ）とは、それぞれの中心軸線が一致した状態で、相互に拘束される。
【００１３】
これは、上記の状態において、基体側磁石（１２）、吸着部（２ａ）、回転体（２）の吸着部（２ａ）以外の領域、基体側磁石（１２）の順に通る閉じた磁束線が形成されると考えられる。そして、上記の状態で、基体側磁石（１２）と吸着部（２ａ）との間で磁束密度の極小化又は最小化が図られ、磁気エネルギーが極小値又は最小値をとなり、安定した状態となるためであると推察される。
【００１４】
その結果、回転体（２）の回転中心軸線（ａ）（すなわち、吸着部（２ａ）の中心軸線）と基体側磁石（１２）の中心軸線とがずれた場合には、回転体（２）に対し、それらが一致するように復帰させる方向の力が加わる。
【００１５】
さらに、本発明の回転体保持装置では、基体側磁石（１２）及び回転体（２）の吸着部（２ａ）は、その中心軸線を中心とする回転対称性を有している。そのため、基体側磁石（１２）の中心軸線と回転体（２）の吸着部（２ａ）の中心軸線とが一致した状態では、それらの中心軸線を中心とした回転体（２）の回転運動に対する抵抗力の増大が抑えられている。
【００１６】
したがって、本発明の回転体保持装置によれば、回転体（２）を、回転体（２）の回転中心軸線（ａ）を中心として滑らかに回転させることができる。また、本発明の回転体保持装置によれば、回転体（２）を、回転体（２）に回転中心軸線（ａ）方向又は回転中心軸線（ａ）と垂直な方向の力が加えられても、所定の位置（すなわち、回転体（２）の回転中心軸線（ａ）に、吸着部（２ａ）の中心軸線及び基体側磁石（１２）の中心軸線が一致する位置であり、基体側磁石による吸着力と気体による浮上する力の釣り合う位置）まで自動的に復帰させることができる。
また、このように、回転体（２）と吸着部（２ａ）とを磁性材料で一体的に形成するとともに、上記のような吸着部形成溝（２ｂ）を形成することによっても、吸着部（２ａ）を、回転体（２）の吸着部（２ａ）以外の領域に対して、磁気的に独立させることができる。その結果、部品点数を削減することができるので、回転体（２）を軽量化でき、さらに滑らかに回転体（２）を回転させることができるようになる。
【００１７】
また、本発明の回転体保持装置においては、前記回転体（２）の前記基体（１）側の面には、前記回転体（２）の縁部に向かって延び、且つ、前記回転体（２）の回転中心軸線（ａ）から径方向に延びる線に対して少なくとも一部において傾斜している通気溝（２ｃ）が形成されている。
【００１８】
このように構成すれば、多孔質プレート（１１）から気体が放出された際には、その気体が通気溝（２ｃ）に沿って回転体（２）の縁に向かって流れる。その結果、その気体から、回転体（２）に対して、回転体（２）の回転中心軸線（ａ）を中心として所定の方向に自転させる力が加えられるとともに、回転中心軸線（ａ）に対して垂直な方向に移動させる力が加えられる。
【００１９】
これらの力のうち、回転中心軸線（ａ）に対して垂直な方向に移動させる力は、基体側磁石（１２）と吸着部（２ａ）との間に生じる吸着力によって抑制される。その結果、回転体（２）は、気体によって浮上させられるだけではなく、回転中心軸線（ａ）を中心として自転するようになる。
【００２４】
また、上記目的を達成するために、本発明の回転体保持装置は、基体（１）と、前記基体（１）上に配置されたプレート状の回転体（２）とを備え、前記基体（１）は、前記回転体（２）に対向するように配置された多孔質プレート（１１）と、磁極が前記回転体（２）の回転中心軸線（ａ）方向を向くように配置された基体側磁石（１２）とを有し、前記回転体（２）は、前記基体側磁石（１２）と対向する位置に設けられた吸着部（２ａ）を有し、前記多孔質プレート（１１）は、前記回転体（２）側以外の面から前記回転体（２）側の面に連通する気孔を有し、前記基体側磁石（１２）及び前記吸着部（２ａ）は、前記回転体（２）の回転中心軸線（ａ）と一致する中心軸線を中心とする回転対称性を有し、前記回転体（２）の前記吸着部（２ａ）以外の領域は、非磁性材料で形成され、前記吸着部（２ａ）は、前記回転体（２）の前記基体側に設けられた凹部（２ｄ）に配置された、前記基体側磁石（１２）と異極対向する磁石、又は、磁性体で形成され、前記回転体（２）の前記基体（１）側の面には、前記回転体（２）の縁部に向かって延び、且つ、前記回転体（２）の回転中心軸線（ａ）から径方向に延びる線に対して少なくとも一部において傾斜している通気溝（２ｃ）が形成されていることを特徴とする。
【００２５】
上記のように構成されている本発明の回転体保持装置では、基体（１）の多孔質プレート（１１）の回転体（２）側以外の面に気体が供給されると、その気体は、多孔質プレート（１１）の気孔を通じて、多孔質プレート（１１）の回転体（２）側の面から（すなわち、回転体（２）に向かって）放出される。そして、回転体（２）は、その放出された気体によって押し上げられて、気体による押し上げる力と基体側磁石（１２）による吸着力とが均衡している位置まで浮上する。
その結果、回転体（２）の回転において、回転体（２）と多孔質プレート（１１）との間の摩擦力が作用しなくなる。また、回転体（２）の基体（１）に対する高さが変化した際（すなわち、回転体（２）がその中心軸線（ａ）方向に移動した際）には、回転体（２）に対し、所定の高さまで復帰させる方向の力が加わる。
また、本発明の回転体保持装置では、基体側磁石（１２）と対向する位置に設けられ、磁性材料又は基体側磁石（１２）と異極対向するように配置された磁石で形成された吸着部（２ａ）を有しており、その吸着部（２ａ）は、回転体（２）の吸着部（２ａ）以外の領域に対して磁気的に独立している。また、基体側磁石（１２）は、磁極が回転体（２）の回転中心軸線（ａ）方向を向くように配置されている。そのため、基体側磁石（１２）と吸着部（２ａ）とは、それぞれの中心軸線が一致した状態で、相互に拘束される。
これは、上記の状態において、基体側磁石（１２）、吸着部（２ａ）、回転体（２）の吸着部（２ａ）以外の領域、基体側磁石（１２）の順に通る閉じた磁束線が形成されると考えられる。そして、上記の状態で、基体側磁石（１２）と吸着部（２ａ）との間で磁束密度の極小化又は最小化が図られ、磁気エネルギーが極小値又は最小値をとなり、安定した状態となるためであると推察される。
その結果、回転体（２）の回転中心軸線（ａ）（すなわち、吸着部（２ａ）の中心軸線）と基体側磁石（１２）の中心軸線とがずれた場合には、回転体（２）に対し、それらが一致するように復帰させる方向の力が加わる。
さらに、本発明の回転体保持装置では、基体側磁石（１２）及び回転体（２）の吸着部（２ａ）は、その中心軸線を中心とする回転対称性を有している。そのため、基体側磁石（１２）の中心軸線と回転体（２）の吸着部（２ａ）の中心軸線とが一致した状態では、それらの中心軸線を中心とした回転体（２）の回転運動に対する抵抗力の増大が抑えられている。
したがって、本発明の回転体保持装置によれば、回転体（２）を、回転体（２）の回転中心軸線（ａ）を中心として滑らかに回転させることができる。また、本発明の回転体保持装置によれば、回転体（２）を、回転体（２）に回転中心軸線（ａ）方向又は回転中心軸線（ａ）と垂直な方向の力が加えられても、所定の位置（すなわち、回転体（２）の回転中心軸線（ａ）に、吸着部（２ａ）の中心軸線及び基体側磁石（１２）の中心軸線が一致する位置であり、基体側磁石による吸着力と気体による浮上する力の釣り合う位置）まで自動的に復帰させることができる。
また、このように、吸着部（２ａ）と吸着部（２ａ）以外の領域とを別体として形成するとともに、吸着部（２ａ）を回転体側磁石又は磁性体で形成し、吸着部（２ａ）以外の領域を非磁性材料で形成することによっても、吸着部（２ａ）を、回転体（２）の吸着部（２ａ）以外の領域に対して、磁気的に独立させることができる。その結果、基体側磁石（１２）からの磁力を吸着部（２ａ）に集中させることができるので、回転体（２）に対して加わる所定の位置に復帰させる方向の力を、さらに大きくすることができる。
また、本発明の回転体保持装置においては、前記基体側磁石（１２）は、前記回転体（２）の回転中心軸線（ａ）を中心とする環状に形成されていることが好ましい。
このように構成すれば、磁力が集中されるので、回転体（２）に対して加わる所定の位置に復帰させる方向の力を、さらに大きくすることができる。
【図面の簡単な説明】
【００２６】
【図１】実施形態に係る回転体保持装置の概略構成を示す平面図。
【図２】図１の回転体保持装置のＡ−Ａ断面を示す斜視図。
【図３】図１の回転体保持装置のＢ−Ｂ断面を示す斜視図。
【図４】第１変形例〜第４変形例に係る回転体保持装置の断面図。
【図５】第５変形例〜第８変形例に係る回転体保持装置の断面図。
【発明を実施するための形態】
【００２７】
以下、図面を参照して、実施形態に係る回転体保持装置について説明する。
【００２８】
図１に示すように、回転体保持装置Ｒは、基体１と、基体１上に配置されたプレート状の回転体２と、不図示の給気機構とを備えている。
【００２９】
なお、本発明の回転体は、必ずしもプレート状である必要はなく、基体１側の面が略平坦な形状であれば、どのような形状であってもよい。
【００３０】
図２に示すように、基体１は、基体側プレート１０と、基体側プレート１０と回転体２との間に配置された多孔質プレート１１と、多孔質プレート１１の中央部に配置された環状の基体側磁石１２とを有している。
【００３１】
図３に示すように、基体側プレート１０の内部には、浮上用給気経路１０ａ及び駆動用給気経路１０ｂが形成されている。給気機構によって供給された気体の一部は、浮上用給気経路１０ａを介して、多孔質プレート１１の裏面に供給される。また、給気機構によって供給された気体の他の一部は、駆動用給気経路１０ｂ及び環状の基体側磁石１２の孔を介して、後述する回転体２の通気溝２ｃに供給される。
【００３２】
なお、基体側プレート１０は、多孔質プレート１１と一体化してもよい。また、浮上用給気経路１０ａ及び駆動用給気経路１０ｂの形状は、図示したものに限定されるものではない。例えば、浮上用給気経路１０ａは、多孔質プレート１１の回転体２側の面以外の面から回転体２側の面に向かって気体を導くことのできる形状であればよい。
【００３３】
多孔質プレート１１は、その回転体２側以外の面から回転体２側の面に連通する微細な多数の気孔（不図示）を有している。そのため、浮上用給気経路１０ａを介して多孔質プレート１１の裏面に気体が供給されると、その気体は、その気孔を通じて、多孔質プレート１１の回転体２側の面から（すなわち、回転体２に向かって）放出される。
【００３４】
基体側磁石１２は、磁極が回転体２の回転中心軸線ａ方向を向くように配置されている。また、基体側磁石１２は、その中心軸線が回転体２の回転中心軸線ａと一致するように配置されている。すなわち、環状の基体側磁石１２は、回転体２の回転中心軸線ａを中心とする回転対称性を有している。
【００３５】
回転体２は、磁性材料で形成されたプレート状の部材である。回転体２は、基体１側の面に、吸着部２ａと、吸着部２ａを囲むように形成された吸着部形成溝２ｂと、吸着部形成溝２ｂと回転体２の外部とを連通する複数の通気溝２ｃとを有している。
【００３６】
吸着部２ａは、基体側磁石１２と対向する位置に設けられている。吸着部２ａは円板状であり、その中心軸線は、回転体２の回転中心軸線ａと一致している。すなわち、吸着部２ａは、回転体２の回転中心軸線ａを中心とする回転対称性を有している。ここで、回転体２は磁性材料で形成されているので、回転体２の一部である吸着部２ａも磁性材料で形成されている。
【００３７】
吸着部形成溝２ｂは、吸着部２ａを囲むように形成されている。これにより、吸着部２ａは、回転体２の吸着部２ａ以外の領域に対して磁気的に独立している。すなわち、回転体保持装置Ｒは、独立した部材を用いて吸着部を磁気的に独立させたものに比べ、部品点数が削減されている。
【００３８】
なお、本発明の吸着部は、必ずしも吸着部形成溝によって磁気的に独立させなければならないものではない。例えば、後述する変形例のように、非磁性材料で形成された回転体プレートに磁石を取り付けることによって回転体を形成し、磁石を吸着部とすることによって、吸着部が回転体の吸着部以外の領域に対して磁気的に独立しているようにしてもよい。
【００３９】
通気溝２ｃは、回転体２の縁部に向かって延び、且つ、回転体２の回転中心軸線ａから径方向に延びる線に対して少なくとも一部において傾斜している。そのため、多孔質プレート１１から放出された気体や駆動用給気経路１０ｂ及び環状の基体側磁石１２の孔を介して供給された気体は、通気溝２ｃに沿って流れ、回転体２の縁部から回転体２の外部へと放出される。
【００４０】
通気溝２ｃに沿って気体が流れる際には、その気体から、回転体２に対して、回転体２の回転中心軸線ａを中心として所定の方向に自転させる力が加えられるとともに、回転中心軸線ａに対して垂直な方向に移動させる力が加えられる。これらの力のうち、回転中心軸線ａに対して垂直な方向に移動させる力は、基体側磁石１２と吸着部２ａとの間に生じる吸着力によって抑制される。
【００４１】
その結果、回転体２は、気体によって浮上させられるだけではなく、回転中心軸線ａを中心として自転するようになる。すなわち、回転体保持装置Ｒでは、給気機構と、基体側プレート１０の浮上用給気経路１０ａ及び駆動用給気経路１０ｂと、多孔質プレート１１と、基体側磁石１２の孔と、通気溝２ｃとによって、回転駆動機構が形成されている。そのため、回転体保持装置Ｒでは、独立した駆動機構を設ける必要がないので、装置全体の低コスト化や小型化が実現されている。
【００４２】
なお、本発明は必ずしもこのような回転駆動機構を備える必要はなく、異なる構成の回転駆動機構を用いて回転体を回転させるようにしてもよい。例えば、通気溝を１本だけ形成してもよい。また、例えば、回転体の周面に溝を設け、その部分に気体を吹き付けることによって、回転体を回転させてもよい。そのような場合には、基体側プレートの駆動用給気経路と基体側磁石の孔と通気溝を省略することができる。
【００４３】
以上説明したように、回転体保持装置Ｒでは、給気機構によって気体が供給されると、回転体２は、その気体による押し上げる力と基体側磁石１２による吸着力とが均衡している位置まで浮上する。
【００４４】
その結果、回転体２の回転において、回転体２と多孔質プレート１１との間の摩擦力が作用しなくなる。また、回転体２の基体１に対する高さが変化した際（すなわち、回転体２がその中心軸線ａ方向に移動した際）には、回転体２に対し、所定の高さまで復帰させる方向の力が加わる。
【００４５】
また、回転体保持装置Ｒでは、基体側磁石１２と対向する位置に設けられ、磁性材料で形成された吸着部２ａを有しており、その吸着部２ａは、前記回転体２の吸着部２ａ以外の領域に対して磁気的に独立している。また、基体側磁石１２は、磁極が回転体２の回転中心軸線ａ方向を向くように配置されている。そのため、基体側磁石１２と吸着部２ａとは、それぞれの中心軸線が一致した状態で、相互に拘束される。
【００４６】
これは、上記の状態において、基体側磁石１２、吸着部２ａ、回転体２の吸着部２ａ以外の領域、基体側磁石１２の順に通る閉じた磁束線が形成されると考えられる。そして、上記の状態で、基体側磁石１２と吸着部２ａとの間で磁束密度の極小化又は最小化が図られ、磁気エネルギーが極小値又は最小値をとなり、安定した状態となるためであると推察される。
【００４７】
その結果、回転体２の回転中心軸線ａ（すなわち、吸着部２ａの中心軸線）と基体側磁石１２の中心軸線とがずれた場合には、回転体２に対し、それらが一致するように復帰させる方向の力が加わる。
【００４８】
さらに、回転体保持装置Ｒでは、基体側磁石１２及び回転体２の吸着部２ａは、その中心軸線を中心とする回転対称性を有している。そのため、基体側磁石１２の中心軸線と回転体２の吸着部２ａの中心軸線とが一致した状態では、それらの中心軸線を中心とした回転体２の回転運動に対する抵抗力の増大が抑えられている。
【００４９】
したがって、回転体保持装置Ｒによれば、回転体２を、回転体２の回転中心軸線ａを中心として滑らかに回転させることができる。また、回転体保持装置Ｒによれば、回転体２を、回転体２に回転中心軸線ａ方向又は回転中心軸線ａと垂直な方向ａの力が加えられても、所定の位置（すなわち、回転体２の回転中心軸線ａに、吸着部２ａの中心軸線及び基体側磁石１２の中心軸線が一致する位置であり、基体側磁石による吸着力と気体による浮上する力の釣り合う位置）まで自動的に復帰させることができる。
【００５０】
以上、図示の実施形態について説明したが、本発明はこのような形態に限られるものではない。
【００５１】
例えば、上記実施形態では、磁性材料で一体に形成された部材に吸着部形成溝２ｂを設けることによって円板状の吸着部２ａを形成するとともに、基体側磁石１２として環状の磁石を用いている。これにより、吸着部２ａを、回転体２の吸着部２ａ以外の領域に対して磁気的に独立した状態としている。しかし、本発明の吸着部及び基体側磁石は、必ずしもそのような構成に限定されるものではない。
【００５２】
具体的には、図４に示す回転体保持装置Ｒ１のように、磁性材料で形成された回転体２に凹部２ｄを形成し、その凹部２ｄに円板状の回転体側磁石２０を、基体側磁石１２に異極対向するように配置し、その回転体側磁石２０を吸着部としてもよい。このとき、凹部２ｄの内周面と回転体側磁石２０の外周面との間には、所定の間隔を開けておくことが好ましい。
【００５３】
このように構成した場合には、回転体保持装置Ｒ２のように、基体側磁石１２及び回転体側磁石２０として環状の磁石を用いてもよい。また、回転体保持装置Ｒ３のように、基体側磁石１２及び回転体側磁石２０として、円板状の磁石を用いてもよい。また、回転体保持装置Ｒ４のように、吸着部を上記実施形態と同様に円板状に形成し、基体側磁石１２として、円板状の磁石を用いてもよい。
【００５４】
また、図５に示す回転体保持装置Ｒ５のように、非磁性材料で形成された回転体２に凹部２ｄを形成し、その凹部２ｄに円板状の回転体側磁石２０を、基体側磁石１２に異極対向するように配置し、その回転体側磁石２０を吸着部としてもよい。このとき、凹部２ｄの内周面と回転体側磁石２０の外周面とは、密着してもいてもよい。また、基体側磁石１２及び回転体側磁石２０を備える場合には、それらのいずれか一方を磁性体としてもよい。
【００５５】
このように構成した場合には、回転体保持装置Ｒ６のように、基体側磁石１２及び回転体側磁石２０として環状の磁石を用いてもよい。また、回転体保持装置Ｒ７のように、基体側磁石１２及び回転体側磁石２０として、円板状の磁石を用いてもよい。また、回転体保持装置Ｒ８のように、基体側磁石１２として、円板状の磁石を用いるとともに、回転体側磁石２０として、環状の磁石を用いてもよい。
【００５６】
また、上記実施形態では、基体側磁石１２及び吸着部２ａは、回転体２の回転中心軸線ａを中心として回転対称性を有する円板及び円環として形成されている。これは、回転体２の回転を滑らかなものとするためである。ただし、本発明における回転対称性を有する形状とは、円板状又は環状に限定されるものではない。例えば、多角形状でもよい。
【符号の説明】
【００５７】
１…基体、２…回転体、２ａ…吸着部、２ｂ…吸着部形成溝、２ｃ…通気溝、２ｄ…凹部、１０…基体側プレート、１０ａ…浮上用給気経路、１０ｂ…駆動用給気経路、１１…多孔質プレート、１２…基体側磁石、２０…回転体側磁石、ａ…回転体２の回転中心軸線、Ｒ，Ｒ１，Ｒ２，Ｒ３，Ｒ４，Ｒ５，Ｒ６，Ｒ７，Ｒ８…回転体保持装置。
【図１】
0006775312.tif 000002
【図２】
0006775312.tif 000003
【図３】
0006775312.tif 000004
【図４】
0006775312.tif 000005
【図５】
0006775312.tif 000006